【事件の表示】
　平成　９年特許願第　２２３０６号「液晶表示装置」拒絶査定不服審判事件〔平成１０年　８月２１日出願公開、特開平１０−２２１７０７〕について、次のとおり審決する。
【結　論】
　本件審判の請求は、成り立たない。
【理　由】
１．手続きの経緯
　本願は、平成９年２月５日の出願であって、原審において、平成１４年６月１０日付で拒絶理由が通知され、同年８月８日に手続補正がなされたところ、同年９月１３日付で拒絶査定がなされ、これに対し、同年１０月１８日に拒絶査定に対する審判請求がなされるとともに、同年１１月１４日付で手続補正がなされたものである。
　
２．平成１４年１１月１４日付手続補正（以下、「本件補正」という。）についての補正却下の決定
[補正却下の決定の結論]
　平成１４年１１月１４日付手続補正を却下する。
[理由]
（１）補正後の本願発明
　本件補正により、特許請求の範囲の請求項２は、
「走査側ガラス基板と、データ配線が設けられた信号側ガラス基板とを有してなる液晶表示パネルと、
　該走査側ガラス基板に接続されて、データ信号及び制御信号が入力される走査側プリント回路基板と、
　前記信号側ガラス基板の一方の側縁に沿って設けられたデータ側プリント回路基板と、
　該データ側プリント回路基板と前記信号側ガラス基板とを接続するように、該信号側ガラス基板の一方の側縁部に沿ってそれぞれが配置されており、それぞれに駆動用ＩＣが搭載された複数のフレキシブル回路基板とを備えた液晶表示装置において、
　前記各フレキシブル回路基板には、
前記駆動用ＩＣに接続された
前記駆動用ＩＣに接続された
前記駆動用ＩＣに接続された
　
該フレキシブル基板と重ねて接続される、
、該表示駆動用の出力端子が設けられた領域の間に、
分離して
　前記データ側プリント回路基板には、隣接するフレキシブル回路基板にそれぞれ設けられた電源用入力端子同士を相互に接続する複数の電源配線が設けられていることを特徴とする液晶表示装置。」
と補正された（以下、「本願補正発明」という。）。
　上記補正は、請求項２に記載した発明を特定するために必要な事項である「複数の表示駆動用の出力端子」「データ信号用配線用および制御信号用配線用の複数の入出力端子」及び「複数の電源用入力端子」が、各々「前期駆動用ＩＣに接続され」ているとの限定を付加し、同様に「前記信号側ガラス基板の一方の側縁部」が、「該フレキシブル基板と重ねて接続される」との限定を付加し、さらに「隣接する各フレキシブル回路基板にそれぞれ設けられた入出力端子同士を相互に接続する複数の信号配線」が、「該表示駆動用の出力端子が設けられた領域の間に、それぞれ分離して設けられて」いるとの限定を付加するものであって、特許法第１７条の２第４項第２号の特許請求の範囲の減縮を目的とするものに該当する。
　そこで、本願補正発明が特許出願の際独立して特許を受けることができるものか以下に検討する。
　
（２）引用例
　原査定において引用された、実願平２−２３３４７号（実開平３−１１４８２０号）のマイクロフィルム（以下、「引用例１」という。）には、図面とともに以下の記載がある。
（ア）「[課題を解決するための手段]　本考案はこれらの問題点を解決するために少なくても２枚のガラス板の間に、液晶を封止したガラスパネルのリード端子に、フイルム基板にＩＣが実装されている複数のＴＡＢの端子とを接続してＩＣの出力信号をパネルへ供給する薄型表示装置について、前記ガラスパネルとＴＡＢにおいて、ＴＡＢのガラスパネルとの接続用端子にはガラスパネルに信号を出力するための信号用端子の他にＩＣへの入力信号用端子を出力信号と同じ方向に配置し、この入力信号用端子が接続されたガラス上に電極をパターニングすることにより、複数のＴＡＢの端子とつなぎ、またＩＣへの入力信号は１部・・をガラス上に電極をパターニングすることによって、複数のＴＡＢの端子とつなげる事によって、回路基板の寸法を小さく、または、なくすことによって液晶表示装置の寸法を小さくしたものである。」（４頁１１行〜５頁８行）
（イ）「実施例３　第３図は、本考案による実施例３である。第３図において、３−１はガラスパネルでありＴＡＢの出力信号と入力信号を接合する透明電極が、パターニングされている。３−２はＴＡＢであり１方向に、入出力信号端子が配置され入力信号端子は両側によせたものである。３−３はＩＣである。このＴＡＢの端子とガラスパネルが接続され３−４は外部からの入力端子である。３−５はＰＣＢ基板でありＩＣへの入力信号の１部分を、ＰＣＢ基板によって配線したものである。」（７頁３〜１３行）
（ウ）「[考案の効果]　以上に説明したように、ガラスパネルにＩＣの入力信号の１部分・・をパターニングすることによって、液晶表示装置の外形寸法を小さくすることができる。」（７頁１４〜１８行）
　また、第３図及び「４．図面の簡単な説明」の記載から、以下の事項が読み取れる。
（エ）ガラスパネル（３−１）の側縁部と直交するＴＡＢ（３−２）両側の各辺に沿って、ＩＣ（３−３）に接続されるＰＣＢ接続用端子（３−６）が複数設けられている。
（オ）ガラスパネル（３−１）側縁部上には、互いに隣接するＴＡＢ上にそれぞれ設けられるＩＣへの入力信号用端子同士を結ぶ配線が、ＩＣの出力信号をパネルへ供給するリード端子（以下、「パネル出力リード端子」という。）が複数設けられた領域内及び領域間に設けられている。
（カ）各ＴＡＢ上のＰＣＢ接続用端子同士を相互に接続する配線が、前記（オ）と同様に、ＰＣＢ基板に設けられていることは自明の事項である。
　したがって、引用例１には、
「２枚のガラス板の間に、液晶を封止したガラスパネルと、
　ガラスパネル（３−１）の一方の側縁に沿って設けられたＰＣＢ基板と、
　該ＰＣＢ基板と前記ガラスパネル（３−１）とを接続するように、該ガラスパネル（３−１）の一方の側縁部に沿ってそれぞれが配置されており、それぞれにＩＣが搭載された複数のＴＡＢとを備えた液晶表示装置において、
　前記各ＴＡＢには、前記ＩＣに接続された複数の出力信号端子が、該ガラスパネル（３−１）の側縁部に沿って設けられるとともに、該出力信号端子の両側に、該ガラスパネル（３−１）の側縁部に沿って、前記ＩＣに接続された複数の入力信号端子がそれぞれ設けられ、さらに、該ガラスパネル（３−１）の側縁部と直交する両側の各辺に沿って、前記ＩＣに接続された複数のＰＣＢ接続用端子がそれぞれ設けられており、
　該ＴＡＢに接続される、前記ガラスパネル（３−１）の一方の側縁部には、各ＴＡＢに設けられた出力信号端子に接続されるパネル出力リード端子がそれぞれ設けられるとともに、隣接する各ＴＡＢにそれぞれ設けられた入力信号端子同士を相互に接続する複数の信号配線が、該パネル出力リード端子が設けられた領域内及び領域間にそれぞれ設けられており、
　前記ＰＣＢ基板には、隣接するＴＡＢにそれぞれ設けられたＰＣＢ接続端子同士を相互に接続する複数の配線が設けられている液晶表示装置」が記載されている（以下、「引用例１発明」という。）。
　
（３）対比・判断
　本願補正発明と引用例１発明を対比すると、
（ア）引用例１発明において、ＩＣからの出力信号が供給されるガラスパネル（３−１）を「信号側ガラス基板」、またそれに伴い該ガラスパネル（３−１）の側縁部に沿って設けられたＰＣＢ基板を「データ側プリント基板」と呼びうることは自明であり、
（イ）引用例１発明において、ＩＣからガラスパネルに供給される出力信号が表示駆動用の信号であることは自明であり、ＴＡＢ上の「出力信号端子」やガラスパネル（３−１）上の「パネル出力リード端子」を、各々「表示駆動用の出力端子」や「表示駆動用端子」と呼ぶ点に何ら技術上格別の差異はない、
（ウ）引用例１発明において、ガラスパネル（３−１）とＴＡＢ同士は互いに重ねて接続されることは当業者の当然なしうる事項に過ぎず、
（エ）引用例１発明の「２枚のガラス板の間に、液晶を封止したガラスパネル」は本願補正発明の「液晶表示パネル」に相当し、以下同様に、「ＩＣ」は「駆動用ＩＣ」に、「ＴＡＢ」は「フレキシブル回路基板」に相当するから、両者は、
「データ配線が設けられた信号側ガラス基板とを有してなる液晶表示パネルと、
　前記信号側ガラス基板の一方の側縁に沿って設けられたデータ側プリント回路基板と、
　該データ側プリント回路基板と前記信号側ガラス基板とを接続するように、該信号側ガラス基板の一方の側縁部に沿ってそれぞれが配置されており、それぞれに駆動用ＩＣが搭載された複数のフレキシブル回路基板とを備えた液晶表示装置において、
　前記各フレキシブル回路基板には、前記駆動用ＩＣに接続された複数の表示駆動用の出力端子が、該信号側ガラス基板の側縁部に沿って設けられるとともに、該表示駆動用の出力端子の両側に、該信号側ガラス基板の側縁部に沿って、前記駆動用ＩＣに接続された複数の端子がそれぞれ設けられ、さらに、該信号側ガラス基板の側縁部と直交する両側の各辺に沿って、前記駆動用ＩＣに接続された複数の端子がそれぞれ設けられており、
　該フレキシブル基板と重ねて接続される、前記信号側ガラス基板の一方の側縁部には、各フレキシブル回路基板に設けられた表示駆動用の出力端子に接続される表示駆動用端子がそれぞれ設けられるとともに、隣接する各フレキシブル回路基板にそれぞれ設けられた端子同士を相互に接続する複数の信号配線が、該表示駆動用の出力端子が設けられた領域の間に設けられており、
　前記データ側プリント回路基板には、隣接するフレキシブル回路基板にそれぞれ設けられた端子同士を相互に接続する複数の配線が設けられている液晶表示装置」である点で一致し、以下の点で相違する。
[相違点１]
　本願補正発明では、（信号側ガラス基板に対向する）走査側ガラス基板に接続されて、データ信号及び制御信号が入力される走査側プリント回路基板を有するのに対し、引用例１発明ではかかる点に関する記載のない点。
[相違点２]
　本願補正発明では、フレキシブル回路基板の、信号側ガラス基板側縁部に沿った側には、データ信号用および制御信号用の入出力端子が設けられ、該側縁部と直交する両側の各辺には電源用入力端子が設けられているのに対し、引用例１発明では、端子に流れる信号の内容に関する特段の記載のない点。
[相違点３]
　本願補正発明では、隣接する各フレキシブル回路基板にそれぞれ設けられた端子同士を相互に接続する複数の信号配線が、信号側ガラス基板における表示駆動用出力端子が設けられた領域の間に、それぞれ分離して設けられているのに対し、引用例１発明では、かかる信号配線が表示用出力端子が設けられた領域内及び領域間に設けられ、分離して設けられてはいない点。
　
　そこで、前記相違点について検討する。
[相違点１]
　液晶表示装置の信号の取り入れ手段において、液晶表示パネルの互いに直交する側の一方側から信号を取り入れ、他方側に伝えること、そのためのプリント回路基板を液晶表示パネルの一方基板に接続することは周知であり（例えば、特開平５−３３３３５８号公報、特開平５−２２４２２４号公報参照。その際、該一方側又は他方側を走査側又は信号側とする点に格別の技術的意義もないことからみて（本願明細書段落【００２９】においてもこの点適宜置換可能である旨記載されている。）、走査側から信号を取り入れることは任意の設計事項である）、引用例１において、ガラスパネル（３−１）側縁部と直交する側（走査側）に、プリント回路基板を、対向するガラスパネル（走査側ガラス基板）と接続して設け、そこから信号を入力することは前記周知技術に照らせば当業者の容易に想到する事項に過ぎない。
[相違点２]
　駆動用ＩＣに入力する信号として、データ信号、制御信号、電源があることは周知であり（例えば、特開平３−１３２０６５号公報（３頁右下欄１１行〜４頁左上欄１行参照）、特開平５−２９７４００号公報（段落【０００９】等参照）、これら周知の入力信号の配線についても当業者の適宜設計する事項に過ぎず（本願明細書段落【００２８】でもこの点任意の設計事項である旨記載されている。）、引用例１発明のＴＡＢに設けられた入力端子の内、ガラスパネル（３−１）側縁部に沿った端子をデータ信号・制御信号用とし、これに直交する両側の各辺に設けられた端子を電源用とすることは当業者の適宜設計する事項に過ぎない。なお、「入出力端子」に関しては、[相違点３]参照。
[相違点３]
　互いに隣接するフレキシブル回路基板同士の接続手段として、該フレキシブル回路基板間に接続用配線を設け駆動用ＩＣを介して接続することは周知であり（例えば、特開平７−４９６５７号公報、特開平５−３０３１０９号公報、特開平５−２９７４００、特開平５−１８８３９０号公報参照）、その際、隣接する一方のフレキシブル回路基板に設けられた出力端子と他方のフレキシブル回路基板に設けられた入力端子を該接続用配線で結ぶことも自明であり、そうであれば、表示駆動用出力端子の両側に入出力端子を設ける点も任意の設計事項に過ぎない。したがって、引用例１発明において、パネル出力リード端子が設けられた領域内に配線を設けることに換えて、該領域間に互いに分離するように接続用配線を設け、互いに隣接するＴＡＢに設けた入出力端子によって駆動用ＩＣを介して互いに接続するようにすることに何ら困難性はない。
　
　そして本願補正発明により奏される効果は、引用例１及び周知技術から当業者の予測しうる程度のものに過ぎない。
　したがって、本願補正発明は、引用例１及び周知技術に基づいて当業者が容易に発明をすることができたものであるから、特許法第２９条第２項の規定により特許出願の際独立して特許を受けることができないものである。
　
（４）むすび
　以上のとおり、本願補正発明は、特許法第１７条の２第５項の規定に違反するものであるから、同法第１５９条第１項で準用する同法第５３条第１項の規定により却下されるべきものである。
　
３．本願発明について
（１）本願発明
　平成１４年１１月１４日付の手続補正は上記のとおり却下されたので、本願の請求項にかかる発明は、平成１４年８月８日付手続補正書によって補正された明細書及び図面の記載からみて、その特許請求の範囲の請求項１及び２に記載されたとおりのものと認められるところ、その請求項２に記載された発明は以下のものである。
「走査側ガラス基板と、データ配線が設けられた信号側ガラス基板とを有してなる液晶表示パネルと、
　該走査側ガラス基板に接続されて、データ信号及び制御信号が入力される走査側プリント回路基板と、
　前記信号側ガラス基板の一方の側縁に沿って設けられたデータ側プリント回路基板と、
　該データ側プリント回路基板と前記信号側ガラス基板とを接続するように、該信号側ガラス基板の一方の側縁部に沿ってそれぞれが配置されており、それぞれに駆動用ＩＣが搭載された複数のフレキシブル回路基板とを備えた液晶表示装置において、
　前記各フレキシブル回路基板には、複数の表示駆動用の出力端子が、該信号側ガラス基板の側縁部に沿って設けられるとともに、該表示駆動用の出力端子の両側に、該信号側ガラス基板の側縁部に沿ってデータ信号用配線用および制御信号用配線用の複数の入出力端子がそれぞれ設けられ、さらに、該信号側ガラス基板の側縁部と直交する両側の各辺に沿って、複数の電源用入力端子がそれぞれ設けられており、
　前記信号側ガラス基板の一方の側縁部には、各フレキシブル回路基板に設けられた表示駆動用の出力端子に接続される表示駆動用端子がそれぞれ設けられるとともに、隣接する各フレキシブル回路基板にそれぞれ設けられた入出力端子同士を相互に接続する複数の信号配線がそれぞれ設けられており、
　前記データ側プリント回路基板には、隣接するフレキシブル回路基板にそれぞれ設けられた電源用入力端子同士を相互に接続する複数の電源配線が設けられていることを特徴とする液晶表示装置。」（以下、「本願発明」という。）
　
（２）引用例
　原審の拒絶の理由に引用した、本願出願前公知の刊行物である、実願平２−２３３４７号（実開平３−１１４８２０号）のマイクロフィルム（以下、「引用例１」という。）には、前記２．（２）の事項が開示されている。
　
（３）対比・判断
　本願発明は、本願補正発明に比べ、複数の表示駆動用の出力端子、データ信号用配線用および制御信号用配線用の複数の入出力端子、及び複数の電源用入力端子が、各々「駆動用ＩＣに接続され」ているとの構成を欠き、同様に、信号側ガラス基板の一方の側縁部が、「フレキシブル基板と重ねて接続される」との構成、及び隣接する各フレキシブル回路基板にそれぞれ設けられた入出力端子同士を相互に接続する複数の信号配線が、「表示駆動用の出力端子が設けられた領域の間に、それぞれ分離して設けられて」いるとの構成を欠くものである。
　したがって、本願発明の構成要件を全て含み、さらに限定的構成を付加してなる本願補正発明が、前記２．（３）に記載したとおり、引用例１及び周知技術から当業者が容易に発明をすることができたものであるから、本願発明も同様の理由により、引用例１及び周知技術に基づいて当業者が容易に発明をすることができたものである。
　
（４）むすび
　以上のとおり、本願発明は、引用例１及び周知技術より、当業者が容易に発明をすることができたものであるから、特許法第２９条第２項の規定により特許を受けることができない。
　よって、結論のとおり審決する。